(57)【要約】      （修正有）【課題】パイル高さが所望の高さよりも高くなる状態が連続して生じている状態であるパイル高さ異常の発生を検出する方法、及びパイル高さ異常を検出するための装置を備えたパイル織機を提供する。【解決手段】織機フレームに対し揺動変位可能に支持されるパイルテンションロール５と、パイルテンションロールの前後方向における位置を検出する位置検出装置１２とを備え、パイル経糸の張力を所望の範囲に収めるべくパイルテンションロールの位置が許容範囲内に収まるように位置検出装置による検出結果に基づいてパイル経糸ビーム２の送出速度を調整するパイル経糸ＰＴの張力制御が実行されるパイル織機において、製織中のパイル織物にパイル高さ異常の発生の有無を判別するための異常判別位置が予め定められ、織機運転中に、パイルテンションロールが異常判別位置へ達したことに基づいてパイル高さ異常の発生を検出して異常信号を発生する。【選択図】図１
2020100916.tif 000002
【特許請求の範囲】
【請求項１】
パイル経糸ビームから送り出されたパイル経糸が巻き掛けられると共に織機フレームに対し揺動変位可能に支持されるパイルテンションロールと、該パイルテンションロール又は前記パイルテンションロールと共に揺動変位する揺動部材の織機の前後方向における位置を検出する位置検出装置とを備え、パイル経糸の張力を所望の範囲に収めるべくパイル経糸の張力に応じて変位する前記パイルテンションロールの位置が予め設定された許容範囲であって前記パイルテンションロールの基準の位置に対する後方側の制限位置及び前方側の制限位置で画定される許容範囲内に収まるように前記位置検出装置による検出結果に基づいてパイル経糸ビームの送出速度を調整するパイル経糸に関する張力制御が織機運転中に実行されるパイル織機において、
製織中のパイル織物にパイル高さが所望の高さよりも高くなる状態が連続して生じている状態であるパイル高さ異常の発生の有無を判別するための異常判別位置であって前記前方側の制限位置又は該制限位置よりも前方の位置に設定される異常判別位置が予め定められ、
織機運転中に、前記パイルテンションロール又は前記揺動部材が前記異常判別位置へ達したことに基づいて前記パイル高さ異常が発生していることを検出して異常信号を発生する
ことを特徴とするパイル織機におけるパイル高さ異常検出方法。
【請求項２】
前記位置検出装置は、前記パイルテンションロール又は前記揺動部材までの距離を検出値として出力する距離検出装置であり、
前記異常判別位置までの距離を異常判別値として予め設定しておき、
織機運転中に前記位置検出装置から出力される前記検出値と前記異常判別値とを比較し、前記検出値が前記異常判別値以下となったときに前記パイルテンションロール又は前記揺動部材が前記異常判別位置に達したと判断する
ことを特徴とする請求項１に記載のパイル織機におけるパイル高さ異常検出方法。
【請求項３】
前記パイル高さ異常の発生の有無を判別するための監視期間を予め設定しておき、
前記検出値の前記異常判別値以下となっている期間が前記監視期間に達したことで前記パイル高さ異常が発生していることを検出する
ことを特徴とする請求項２に記載のパイル高さ異常検出方法。
【請求項４】
前記異常信号の発生に伴って織機を停止する
ことを特徴とする請求項１乃至請求項３に記載のパイル高さ異常検出方法。
【請求項５】
パイル経糸ビームから送り出されたパイル経糸が巻き掛けられると共に織機フレームに対し揺動変位可能に支持されるパイルテンションロールと、該パイルテンションロール又は前記パイルテンションロールと共に揺動変位する揺動部材の織機の前後方向における位置を検出する位置検出装置とを備え、パイル経糸の張力を所望の範囲に収めるべくパイル経糸の張力に応じて変位する前記パイルテンションロールの位置が予め設定された許容範囲であって前記パイルテンションロールの基準の位置に対する後方側の制限位置及び前方側の制限位置で画定される許容範囲内に収まるように前記位置検出装置による検出結果に基づいてパイル経糸ビームの送出速度を調整するパイル経糸に関する張力制御が織機運転中に実行されるパイル織機において、
製織中のパイル織物にパイル高さが所望の高さよりも高くなる状態が連続して生じている状態であるパイル高さ異常の発生の有無を判別するための異常判別位置であって前記前方側の制限位置又は該制限位置よりも前方の位置に設定された異常判別位置へ前記パイルテンションロール又は前記揺動部材が達したことに基づいて異常信号を発生する異常検出装置を備える
ことを特徴とするパイル織機。
【請求項６】
前記位置検出装置が前記パイルテンションロール又は前記揺動部材までの距離を検出値として出力する距離検出装置であり、
前記異常検出装置は、前記異常判別位置までの距離として予め設定された異常判別値を記憶すると共に、前記位置検出装置から出力される前記検出値と前記異常判別値とを比較する比較器、及び該比較器による比較結果として前記検出値が前記異常判別値以下となったことに基づいて前記異常信号を発生する異常判別部を備える
ことを特徴とする請求項５に記載のパイル織機。
【請求項７】
前記異常検出装置には、前記パイル高さ異常の発生の有無を判別するための監視期間が記憶されており、
前記異常判別部は、前記検出値が前記異常判別値以下となっている期間である異常期間を把握する機能を有すると共に、前記異常期間が前記監視期間に達したときに前記異常信号を発生するように構成されている
ことを特徴とする請求項６に記載のパイル織機。
【請求項８】
前記異常信号は、織機を停止する信号である
ことを特徴とする請求項５乃至請求項７に記載のパイル織機。
【発明の詳細な説明】
【技術分野】
【０００１】
本発明は、パイル経糸ビームから送り出されたパイル経糸が巻き掛けられると共に織機フレームに対し揺動変位可能に支持されるパイルテンションロールと、該パイルテンションロール又は前記パイルテンションロールと共に揺動変位する揺動部材の織機の前後方向における位置を検出する位置検出装置とを備え、パイル経糸の張力を所望の範囲に収めるべくパイル経糸の張力に応じて変位する前記パイルテンションロールの位置が予め設定された許容範囲であって前記パイルテンションロールの基準の位置に対する後方側の制限位置及び前方側の制限位置で画定される許容範囲内に収まるように、前記位置検出装置による検出結果に基づいてパイル経糸ビームの送出速度を調整するパイル経糸に関する張力制御が織機運転中に実行されるパイル織機に関する。
【背景技術】
【０００２】
前記のようなパイル織機として、例えば、特許文献１に開示されたパイル織機がある。より詳しくは、その特許文献１に開示されたパイル織機は、パイル経糸ビームから送り出されたパイル経糸が巻き掛けられるパイルテンションロールを備えている。なお、そのパイルテンションロールは、織機上の固定支点に軸承されたアームによって支持されており、織機の前後方向に揺動変位可能に設けられている。そして、そのパイル織機は、パイル経糸の張力が予め設定された所望の大きさとなっている状態では、パイル経糸が織機上の所定の位置（基準位置）に位置するように構成されている。したがって、そのパイル織機においては、製織中にパイル経糸の張力が変化すると、パイルテンションロールは、その張力の大きさに応じた前記前後方向における位置へ揺動変位する。
【０００３】
その上で、その特許文献１のパイル織機は、前記のようなパイル経糸の張力の変化に伴う変位によってパイルテンションロールの前記位置が予め設定された許容範囲を越えたときに、パイル経糸の送出量（送出速度）を修正する送出制御（パイル経糸の張力制御）を行うように構成されている。すなわち、パイル経糸の張力が製織されるパイル織物のパイル高さに影響を及ぼすため、パイル織機においては、パイル織物の品質を考慮し、そのようなパイル経糸の張力制御が行われる。ちなみに、製織中においては、パイル経糸の張力は、例えばパイル経糸ビームの巻径が変化（減少）することに伴って不可避的に変化する。そして、前記のようなパイル経糸の張力制御は、そのような不可避的なパイル経糸の張力の変化に対応すべく行われる。
【０００４】
なお、前記した許容範囲は、前記の基準の位置に対する前方側及び後方側に設定された位置（制限位置）によって画定される。ちなみに、特許文献１のパイル織機では、近接スイッチにより前記のようなパイルテンションロールの変位が検出されており、その前方側の制限位置及び後方側の制限位置は、前記の基準の位置に対する前方側及び後方側のそれぞれに配置された近接スイッチの位置によって定められている。
【０００５】
また、同様の張力制御を行うパイル織機として、特許文献２に開示されたパイル織機がある。その特許文献２のパイル織機では、パイルテンションロールの前記位置を検出するための位置検出装置としての位置検出器が備えられている。但し、特許文献２では、パイルテンションロールがテンションレバーによって揺動変位可能に支持されており、位置検出器は、パイルテンションロールと共に揺動変位するテンションレバーの位置を検出するように設けられている。その上で、特許文献２のパイル織機においては、前記した前方側の制限位置及び後方側の制限位置は、位置検出器による検出値と比較される設定値としてそれぞれ設定されている。
【先行技術文献】
【特許文献】
【０００６】
【特許文献１】特開昭５７−００５９４５号公報
【特許文献２】特開昭６３−２７５７５１号公報
【発明の概要】
【発明が解決しようとする課題】
【０００７】
ところで、パイル織機における実際の製織では、前記のように張力制御が行われているにもかかわらず、何らかの原因で、製織中のパイル織物のパイル高さが、所望の高さよりも高くなる現象が発生する場合がある。そして、そのような現象が連続的に発生してしまうと、製織されたパイル織物は品質が著しく損なわれたものとなる。
【０００８】
そこで、本発明は、そのパイル高さが所望の高さよりも高くなる状態が連続して生じている状態であるパイル高さ異常の発生を検出するための方法、及びそのパイル高さ異常を検出するための装置を備えたパイル織機を提供することを目的とする。
【課題を解決するための手段】
【０００９】
本発明は、パイル経糸ビームから送り出されたパイル経糸が巻き掛けられると共に織機フレームに対し揺動変位可能に支持されるパイルテンションロールと、そのパイルテンションロール又は前記パイルテンションロールと共に揺動変位する揺動部材の織機の前後方向における位置を検出する位置検出装置とを備え、パイル経糸の張力を所望の範囲に収めるべくパイル経糸の張力に応じて変位する前記パイルテンションロールの位置が予め設定された許容範囲であって前記パイルテンションロールの基準の位置に対する後方側の制限位置及び前方側の制限位置で画定される許容範囲内に収まるように前記位置検出装置による検出結果に基づいてパイル経糸ビームの送出速度を調整するパイル経糸に関する張力制御が織機運転中に実行されるパイル織機に適用される。
【００１０】
そして、本発明によるパイル高さ異常検出方法は、そのパイル織機において、製織中のパイル織物にパイル高さが所望の高さよりも高くなる状態が連続して生じている状態であるパイル高さ異常の発生の有無を判別するための異常判別位置であって前記前方側の制限位置又はその制限位置よりも前方の位置に設定される異常判別位置が予め定められ、織機運転中に前記パイルテンションロール又は前記揺動部材が前記異常判別位置へ達したことに基づいて前記パイル高さ異常が発生していることを検出して異常信号を発生することを特徴とする。
【００１１】
なお、その本発明のパイル高さ異常検出方法は、前記位置検出装置が前記パイルテンションロール又は前記揺動部材までの距離を検出値として出力する距離検出装置であり、前記異常判別位置まで距離を異常判別値として予め設定しておくと共に、織機運転中に前記位置検出装置から出力される前記検出値と前記異常判別値とを比較して前記検出値が前記異常判別値以下となったときに前記パイルテンションロール又は前記揺動部材が前記異常判別位置に達したと判断するようにしても良い。その上で、本発明のパイル高さ異常検出方法は、前記パイル高さ異常の発生の有無を判別するための監視期間を予め設定しておき、前記検出値の前記異常判別値以下となっている期間が前記監視期間に達したことで前記パイル高さ異常が発生していることを検出するようにしても良い。さらに、前記異常信号の発生に伴って織機を停止するようにしても良い。
【００１２】
また、本発明による前記パイル高さ異常を検出するための装置を備えたパイル織機は、前述したパイル織機において、前記異常判別位置へ前記パイルテンションロール又は前記揺動部材が達したことに基づいて前記異常信号を発生する異常検出装置を備えることを特徴とする。
【００１３】
なお、その本発明による前記パイル高さ異常を検出するための装置を備えたパイル織機は、前記位置検出装置が前記パイルテンションロール又は前記揺動部材までの距離を検出値として出力する距離検出装置であり、前記異常検出装置は、前記異常判別値を記憶すると共に、前記位置検出装置から出力された前記検出値と前記異常判別値とを比較する比較器、及びその比較器による比較結果として前記検出値が前記異常判別値以下となったことに基づいて前記異常信号を発生する異常判別部を備えるようにしても良い。その上で、前記異常検出装置には、前記監視期間が記憶されており、前記異常判別部は、前記検出値が前記異常判別値以下となっている期間である異常期間を把握する機能を有すると共に、前記異常期間が前記監視期間に達したときに前記異常信号を発生するように構成しても良い。さらに、前記異常信号が織機を停止するための信号であっても良い。
【発明の効果】
【００１４】
本発明によれば、パイル高さが所望の高さよりも高くなる状態が連続して生じている状態である前記パイル高さ異常の発生の有無を判別するための異常判別位置であってパイルテンションロール又は前記揺動部材の位置に関して設定された異常判別位置が予め定められており、織機運転中（製織中）においては、位置検出装置によって検出されたパイルテンションロール又は前記揺動部材の前記前後方向における位置がその異常判別位置へ達したことに基づいて前記パイル高さ異常の発生を検出している。すなわち、本発明の発明者らは、前記パイル高さ異常が、前述した張力制御下であってもパイルテンションロールを変位させるような影響を及ぼすということを考察し、それに基づき、検出されたパイルテンションロール又は前記揺動部材の位置に基づいて前記パイル高さ異常を検出することを考案した。
【００１５】
より詳しくは、パイル織機において、テリーモーションによる織前位置の移動量は、製織されるパイル織物のパイル高さ（所望の高さ）に応じて設定される。但し、製織においては、その移動量分の長さのパイル経糸全体によってパイルが形成される訳では無く、パイル経糸が適正な張力の範囲にある状態では、ファストピックによるパイル形成時に若干のパイル経糸の抜けが生じる。したがって、前記移動量は、所望のパイル高さを形成するためのパイル経糸の長さよりも若干長いパイル経糸が織前とルーズピック時の筬打ち位置との間に存在するように設定される。なお、前記で言う適正な張力の範囲にある状態とは、前記のようにパイル形成毎に若干のパイル抜けが発生するという製織において、基本的なパイル経糸の送出量等との関係でパイルテンションロールが前記した許容範囲内に位置する状態である。
【００１６】
しかしながら、原因は不明であるが、製織中においてパイル高さが前記した所望の高さよりも高く形成される場合がある。それは、本来なら発生するはずの前記のような若干のパイル抜けが何らかの原因で発生せず、前記移動量分の長さのパイル経糸でパイルが形成された結果である。そして、そのようなパイル高さが所望の高さよりも高いパイルが連続的に形成される（パイル織物の一部の範囲においてパイル高さが高いパイルが形成された状態となる）場合もある。そのような場合、製織されたパイル織物は、品質が損なわれたものとなる。
【００１７】
なお、前記のようにパイル高さが所望の高さよりも高く形成される（パイル形成時における若干のパイル抜けが生じない）と、パイル抜けが生じない分、パイル形成毎に通常よりも多くのパイル経糸が消費されることになる。また、パイル経糸の基本的な送出量は、パイルテンションロールが前記した許容範囲内に位置する状態においては、通常のパイル抜けが起きる状態でパイル経糸の張力が前記した適正な範囲となるように設定されている。そのため、パイル高さが所望の高さよりも高いパイルが連続的に形成されると、パイル経糸の張力が急激に上昇することとなる。そして、パイル経糸の張力が上昇するのに伴い、前記したようにパイルテンションロールが前記揺動部材と共に揺動変位（より詳しくは、前方へ向けて変位）する。
【００１８】
それに対し、張力制御下にあっては、パイルテンションロールが変位してその位置が前記許容範囲を越えた場合、前述のように、前記送出制御によってパイル経糸の張力を制御し、パイルテンションロールをその前記許容範囲内に収まる状態に戻そうとすることが行われる。しかし、その張力制御は、前記したパイル経糸ビームの巻径の変化によるパイル経糸の張力の変化等のような正常な状態で発生する不可避的なパイル経糸の張力の変化を想定したものである。すなわち、その張力制御は、前記のようなパイル高さが所望の高さよりも高く形成される状態が連続して生じている状態である前記パイル高さ異常の発生による異常なパイル経糸の張力の変化を想定していない。したがって、そのような想定外の前記パイル高さ異常によるパイル経糸の張力の上昇に対してはその張力制御では対応しきれず、前記送出制御によるパイル経糸の張力制御が行われているにもかかわらず、パイルテンションロールが前記許容範囲内に戻らない（更に前方へ向けて変位する）といった状態となる。
【００１９】
そこで、本発明では、前記許容範囲における前記前方側の制限位置又はその制限位置よりも前方の位置に、前記パイル高さ異常の発生の有無を判別するための異常判別位置を定めることとした。その上で、織機運転中においてパイルテンションロール又は前記揺動部材がその異常判別位置に達したことを検出することで、従来のパイル織機において行われていなかった前記パイル高さ異常の発生の検出が行えるようになった。すなわち、パイルテンションロール又は前記揺動部材が異常判別位置に達したことが検出されることにより、本来達するべきでは無い位置にまでパイルテンションロールが変位したと判別されるため、それに基づき前記パイル高さ異常が発生したということが検出されることとなる。
【００２０】
なお、従来のパイル織機においては、前記パイル高さ異常の発生がそもそも想定されていないため、従来においては、その前記パイル高さ異常の発生を何らかのかたちで検出しようとする発想すら存在していなかった。そのため、従来のパイル織機において、前記のようなパイル高さが所望の高さよりも高くなる状態が連続して生じている状態が発生しても、作業者がそれを発見しない限りは、そのままの状態で製織が継続されることとなる。しかも、それを発見するためには製織中のパイル織物を直接見て確認する必要があり、織機から離れた位置では確認することができないため、発見が遅くなることも考えられる。そして、その結果として、製織されたパイル織物の品質が著しく損なわれる。
【００２１】
それに対し、本発明によれば、前記のように前記パイル高さ異常の発生が検出され、それに伴って異常信号が発生される。そこで、その異常信号の発生に基づき、例えば、織機の警報ランプを点滅させると共に前記パイル高さ異常の発生を知らせるメッセージを織機の表示器に表示させるようにすれば、その織機の製織において前記パイル高さ異常が発生していることをその警報ランプ等によって把握することができる。それにより、前記パイル高さ異常の発生を早期に発見することができ、パイル高さが所望の高さよりも高い状態が連続的に発生した状態で製織が継続されることを防ぐことができる。また、その異常信号に基づき、織機が停止されるようにすれば、例えば作業者が織布工場内に常駐しておらず直ぐには前記パイル高さ異常の発生を把握することができない状況であっても、パイル高さが所望の高さよりも高い状態が連続的に発生した状態で製織が継続されることを防ぐことができる。
【００２２】
このように、本発明によれば前記パイル高さ異常の検出がされるため、それにより、パイル高さが所望の高さよりも高い状態が連続的に発生した状態で製織が継続されることを可及的に防止することが可能となり、その結果として、前記のようなパイル織物の著しい品質低下を防ぐことが可能となる。
【００２３】
なお、パイル経糸の張力制御のために備えられている位置検出装置が距離検出装置である場合において、本発明に関し、パイルテンションロール又は前記揺動部材の異常判別位置へ達したことの判断がその距離検出装置から出力される検出値と前記異常判別位置に対応する異常判別値との比較によって行われるようにすることによって、より簡単な構成で本発明を実現することができる。すなわち、前記判断を行うにあたってはパイルテンションロール又は前記揺動部材の位置を把握する必要があり、そのための検出手段が必要となるが、前提とするパイル織機に元から備えられているパイル経糸の張力制御のための位置検出装置をその検出手段として兼用することにより、織機に対し本発明のための専用の検出手段を設けることなく、本発明を実現することが可能となる。
【００２４】
また、本発明において、前記のような監視期間を設けることにより、前記パイル高さ異常の発生の検出がより正確に且つより早期に行われるようにすることが可能となる。詳しくは、パイル織機においては、前記した不可避的な張力変動によってもパイルテンションロールが前記前方側の制限位置の近傍まで変位し、その状態で製織が継続される状態が存在する。その上で、その状態においてパイル形成に伴ってパイルテンションロールが変位されると、その変位に伴う慣性により、パイルテンションロールが一時的に前記前方側の制限位置を越えた位置まで変位することがある。そのため、そのようなことが想定される場合には、その一時的な変位によって前記パイル高さ異常が発生したと誤って検出されないように、異常判別位置を前記前方側の制限位置から十分に離れた位置に設定する必要がある。なお、その場合でも、従来とは異なり前記パイル高さ異常の検出は行われるが、その検出は、パイルテンションロール又は前記揺動部材がそのように離れた位置にまで揺動変位した時点となる。
【００２５】
それに対し、前記のような監視期間を設ければ、前記のような一時的な変位が想定される場合であっても、異常判別位置を前記前方側の制限位置に可及的に近い位置（もしくは、その位置）に設定することができ、且つ、前記のような一時的な変位を前記パイル高さ異常の発生として誤って検出されてしまうことを防ぐことができる。そして、異常判別位置をそのような位置に設定することで、前記パイル高さ異常の発生をより早期に検出することが可能となる。
【００２６】
さらに、前記のように前記異常信号の発生に伴って織機を停止することにすれば、それ以上は前記パイル高さ異常が継続されないため、前記パイル高さ異常が発生した状態で製織される部分（範囲）を最小限に抑えることができる。
【図面の簡単な説明】
【００２７】
【図１】本発明が適用されるパイル織機の送出装置の一例を示す説明図である。
【図２】本発明による異常検出装置の構成の一例を示すブロック図である。
【発明を実施するための形態】
【００２８】
以下では、本発明によるパイル高さ異常を検出するための異常検出装置を備えたパイル織機の一実施例を図面に基づいて説明する。
【００２９】
図１に示すのは、本発明による異常検出装置を備えたパイル織機におけるパイル経糸ＰＴの送出し装置の一例である。その送出し装置１において、パイル経糸ＰＴは、パイル経糸ビーム２から送り出され、パイル経糸ビーム２の下方に設けられたガイドロール３、テンションシャフト４、及びパイルテンションロール５に順次巻き掛けられて織前側に導かれている。
【００３０】
また、その送出し装置１において、パイルテンションロール５は、織機の幅方向に離間して設けられた左右一対のテンションレバー６（図１では片側のみを図示）によって支持されている。なお、そのテンションレバー６は、前記幅方向に亘って延在して設けられるテンションシャフト４によって織機フレーム（図示略）に対し揺動可能に支持されている。したがって、パイルテンションロール５は、テンションレバー６を介してテンションシャフト４を揺動中心とするかたちで織機フレームに対し揺動変位可能に支持されている。
【００３１】
さらに、テンションレバー６は、トルクモータＭ２の出力軸に取り付けられる駆動レバー７及び駆動レバー７とテンションレバー６とを連結する連結ロッド８からなるリンク機構を介してトルクモータＭ２に連結されている。したがって、パイルテンションロール５は、テンションレバー６及び前記リンク機構を介してトルクモータＭ２の出力軸に連結された状態となっている。
【００３２】
また、トルクモータＭ２は、そのトルクモータＭ２の駆動を制御するためのパイル経糸張力制御装置１１に接続されている。そして、そのパイル経糸張力制御装置１１は、パイル織機の主制御装置１４に接続されており、さらに、その主制御装置１４には、パイル経糸ＰＴの設定張力値が記憶されている。その上で、パイル経糸張力制御装置１１は、その設定張力値に応じた出力トルクを発生するようにトルクモータＭ２の駆動を制御する。そして、トルクモータＭ２の駆動がそのように制御されることで、パイルテンションロール５は、そのトルクモータＭ２の出力トルクに応じた付勢力をパイル経糸ＰＴに対し作用させる。それにより、パイルテンションロール５は、織機の前後方向に関し、その付勢力とパイル経糸ＰＴの張力とが釣り合った状態となる位置で、織機上に配置された状態となる。
【００３３】
なお、パイル織機の初期設定においては、パイルテンションロール５は、織機の前後方向における予め定められた位置（基準の位置）に配置された状態とされる。そして、前記付勢力は予め定められた前記設定張力値に応じた一定の大きさの力であり、且つ、パイルテンションロール５の前記配置はその付勢力とパイル経糸ＰＴの張力との釣り合いによって定まるものであるため、パイル経糸ＰＴの張力が前記設定張力値に一致した状態であれば、パイルテンションロール５は、その基準の位置に配置された状態とされる。
【００３４】
しかし、前述したように、パイル織機においては、その製織中に、不可避的なパイル経糸ＰＴの張力の変化が発生する。そして、その結果として、パイルテンションロール５は、そのパイル経糸ＰＴの張力の変化に応じて揺動変位し、そのパイル経糸ＰＴの張力に応じた位置に配置された状態となる。
【００３５】
具体的には、前記の釣り合った状態からパイル経糸ＰＴの張力が低くなると、前記付勢力がパイル経糸ＰＴの張力よりも大きくなるため、パイルテンションロール５は、トルクモータＭ２による駆動方向である後方へ向けて変位する。但し、そのパイルテンションロール５の変位の結果として、パイル経糸ビーム２から織前（図示略）に至るパイル経糸ＰＴの経路長が長くなり、それに伴ってパイル経糸ＰＴの張力が上昇する。そして、そのパイル経糸ＰＴの張力が前記付勢力と釣り合う大きさまで上昇した時点で、パイルテンションロール５の揺動変位が停止する。
【００３６】
同様に、前記釣り合い状態からパイル経糸ＰＴの張力が高くなると、パイル経糸ＰＴの張力が前記付勢力よりも大きくなるため、その張力により、パイルテンションロール５がトルクモータＭ２の駆動力に抗して前方へ向けて変位する。そして、その結果として、パイル経糸ＰＴの前記経路長が短くなり、それに伴ってパイル経糸ＰＴの張力が低下することから、そのパイルテンションロール５の揺動変位は、パイル経糸ＰＴの張力が前記付勢力と釣り合う大きさまで低下した時点で停止する。
【００３７】
そして、送出し装置１においては、パイル経糸ＰＴの張力に変化が生じても、前記のようなパイルテンションロール５の変位に伴う前記経路長の変化によってその張力の変化が解消され、その上で、前記付勢力とパイル経糸ＰＴの張力とが常に釣り合った状態となることで、パイル経糸ＰＴの張力が前記の設定張力値に応じた張力に維持されている。
【００３８】
なお、送出し装置１においては、パイル経糸ビーム２は、送出モータＭ１によって回転駆動される。さらに、その送出モータＭ１は、パイル経糸送出制御装置１３によってその駆動が制御される。その上で、パイル織機においては、そのパイル経糸送出制御装置１３は、前記の主制御装置１４に接続されている。また、送出し装置１は、パイル経糸ビーム２の近傍に設けられた巻径センサ（図示略）を含んでいる。そして、その巻径センサは、主制御装置１４に接続されており、その検出値を主制御装置１４に対し出力する。
【００３９】
その上で、主制御装置１４は、製織中において、その巻径センサから出力された検出値に基づき、パイル経糸ビーム２上のパイル経糸ＰＴの巻径を周期的に求めている。さらに、製織中においては、主制御装置１４に予め記憶されている織機回転数及び緯糸密度の設定値、並びに前記のようにして求められたパイル経糸ＰＴの巻径に基づき、送出モータＭ１の基本駆動速度が算出される。そして、パイル経糸送出制御装置１３は、その算出された基本駆動速度に従って送出モータＭ１の駆動を制御する。それにより、パイル経糸ビーム２は、その送出モータＭ１の基本駆動速度に応じた送出量（送出速度）でパイル経糸ＰＴを送り出すように回転駆動される。
【００４０】
さらに、パイル経糸送出制御装置１３は、前記のように製織中においてパイル経糸ＰＴの張力に応じて変化するパイルテンションロール５の前記前後方向における位置（以下、「前後位置」と言う。）が予め設定された許容範囲内に収まるように、前記前後位置に基づいて送出モータＭ１の駆動を制御する（パイル経糸ＰＴの送出速度を調整する）ように構成されている。但し、その許容範囲とは、前記の基準の位置に対し後方側に設定された制限位置（後方側の制限位置）と前方側に設定された制限位置（前方側の制限位置）とから画定される範囲である。また、その後方側及び前方側の制限位置は、パイル製織との兼ね合いでその制限位置を越えた位置にパイルテンションロール５が位置した場合に、その製織に悪影響が生じ得る位置である。
【００４１】
前記のパイル経糸送出制御装置１３によるパイル経糸ＰＴの送出速度の調整について、詳しくは以下の通りである。なお、その調整は、前記のようにパイルテンションロール５の前後位置に基づいて行われるものであるが、本実施例では、パイルテンションロール５と共に揺動変位する揺動部材であるテンションレバー６の前後位置に基づいてその調整が行われることとする。また、前記許容範囲について、その範囲を画定する後方側の制限位置及び前方側の制限位置は、それぞれに対応する設定値が、後方側閾値及び前方側閾値として、パイル経糸送出制御装置１３に予め記憶されていることとする。
【００４２】
テンションレバー６の近傍には、テンションレバー６の前後位置を検出する位置検出器１２が設けられている。なお、位置検出器１２は、本実施例では距離センサであって、その位置検出器１２からテンションレバー６までの距離を検出するセンサである。そして、その位置検出器１２は、パイル経糸送出制御装置１３に接続されており、その検出信号（検出された距離に応じた信号）をパイル経糸送出制御装置１３に対し出力する。その上で、パイル経糸送出制御装置１３は、その検出信号に基づき、テンションレバー６の前後位置（位置検出器１２からの距離）を検出する。したがって、本実施例では、位置検出器１２とパイル経糸送出制御装置１３とで位置検出装置としての距離検出装置が構成されている。
【００４３】
また、前記のようにテンションレバー６の前後位置が位置検出器１２からの距離で検出されることから、前記の後方側閾値及び前方側閾値も、位置検出器１２からの距離としてその設定値が設定されている。
【００４４】
そして、パイル経糸送出制御装置１３は、製織中において、位置検出器１２で検出されたテンションレバー６の前後位置について、織機の１サイクル（織機主軸の回転角度０°から３６０°（０°）までの期間）毎にその前後位置の平均値を算出すると共に、その平均値（検出値）と後方側閾値及び前方側閾値とを比較する。その上で、パイル経糸送出制御装置１３は、その比較の結果として前記検出値が後方側閾値より大きいと判断された場合、すなわち、テンションレバー６が後方側の制限位置を越えて後方に変位したと判断された場合には、パイル経糸ＰＴの送出速度を低下させるように調整する。それにより、前記付勢力と釣り合っているパイル経糸ＰＴの張力が高くなる方向に変化し、前述のようにパイルテンションロール５（テンションレバー６）が前方に向かって変位する。
【００４５】
また、パイル経糸送出制御装置１３は、テンションレバー６の前記検出値が前方側閾値よりも小さいと判断された場合、すなわち、テンションレバー６が前方側の制限位置を越えて前方に変位したと判断された場合には、パイル経糸ＰＴの送出速度を上昇させるように調整する。それにより、パイル経糸ＰＴの張力が低くなる方向に変化し、前述のようにパイルテンションロール５（テンションレバー６）が後方に向かって変位する。そして、パイル経糸送出制御装置１３は、テンションレバー６の前後位置が前記許容範囲内に戻ると、その調整した送出速度が維持されるように送出モータＭ１の駆動を制御した状態となる。その結果として、テンションレバー６の前後位置が、後方側の制限位置よりも前方、且つ、前方側の制限位置よりも後方に位置した状態、すなわち、前記許容範囲内に収まった状態となる。
【００４６】
このように、送出し装置１においては、パイルテンションロール５が設定張力値に応じた前記付勢力をパイル経糸ＰＴに作用させ、そのパイルテンションロール５による前記付勢力とパイル経糸ＰＴの張力とが釣り合うことで、パイル経糸ＰＴの張力がその設定張力値に一致すると共にパイルテンションロール５がその釣り合いに応じた位置を取る状態となっている。その上で、その送出し装置１においては、その状態で、パイルテンションロール５（テンションレバー６）の位置が予め設定された前記許容範囲内に収まるようにパイル経糸ＰＴの送出速度を調整するようなパイル経糸ＰＴの張力制御が行われている。
【００４７】
以上で説明した送出し装置１を備えたパイル織機において、本発明では、そのパイル織機は、パイル高さが所望の高さより高くなる状態が連続して生じている状態であるパイル高さ異常の発生を検出するための異常検出装置を備えている。また、その異常検出装置は、前記パイル高さ異常の発生の有無の判別（以下、「異常判別」とも言う。）に用いられる異常判別位置であって前方側の制限位置又は前方側の制限位置よりも前方の位置に設定された異常判別位置へ、前記のパイルテンションロール５又は前記揺動部材であるテンションレバー６が達したことに基づいて異常信号を発生するように構成されている。以下では、そのような本発明の異常検出装置について、その一具体例を本実施例のパイル高さ異常検出装置１０として説明する。
【００４８】
なお、前記異常判別のためには、パイルテンションロール５又はテンションレバー６が異常判別位置に達したことの判断が必要となる。そして、その判断のためには、パイルテンションロール５又はテンションレバー６の前後位置を把握するための検出手段が必要となる。一方で本実施例では、前述のように送出し装置１は、パイル経糸ＰＴの張力制御のために前記距離検出装置でテンションレバー６の前後位置を検出している。そこで、本実施例では、前記距離検出装置が前記検出手段として兼用されるものとし、その上で、前記の判断が、その前記距離検出装置による前記検出値を用いて行われることとする。すなわち、本実施例では、送出し装置１の一部であるテンションレバー６の前後位置を検出するための前記距離検出装置が、前記検出手段としてパイル高さ異常検出装置１０の一部をも兼ねている。
【００４９】
また、本実施例では、前記判断は、前記距離検出装置による前記検出値と位置検出器１２から異常判別位置までの距離として予め設定された異常判別値とを比較することによって行われることとする。その上で、前記異常判別は、前記検出値が異常判別値以下となったことに基づいて行われるが、本実施例では、前記異常判別のための監視期間が予め設定されており、前記検出値が異常判別値以下となっている期間である異常期間がその監視期間に達したことで行われることとする。但し、その監視期間は、本実施例では、織機のサイクル数で設定されているものとする。したがって、その監視期間と比較される異常期間も、織機のサイクル数で求められる。
【００５０】
また、前記異常判別の結果としてパイル高さ異常検出装置１０から異常信号が出力されるが、本実施例では、その異常信号は、織機を停止させるための信号（織機停止信号）とする。すなわち、本実施例では、その異常信号の発生に伴って織機が停止されるようにパイル織機が構成されているものとする。
【００５１】
図２に示すように、パイル高さ異常検出装置１０は、異常判別値及び監視期間が記憶される記憶器２１と、製織中において異常判別値とテンションレバー６の前後位置（前記検出値）とを比較する比較器２２と、その比較結果及び前記の異常期間に基づいて異常信号を発生する異常判別部２３とを備えている。
【００５２】
記憶器２１は、入力側においてパイル織機における入力設定装置１５に接続されると共に、出力側において比較器２２及び異常判別部２３に接続されている。因みに、入力設定装置１５は、例えば、タッチパネル式の表示画面を有するものであって、その表示画面に表示される設定画面等によって各種の設定値が入力設定可能となっている。そして、前記の異常判別値及び監視期間は、その入力設定装置１５において入力設定され、その入力設定に伴って記憶器２１に送られると共に記憶器２１において記憶される。
【００５３】
なお、その記憶器２１に記憶される異常判別値について、本実施例では、その異常判別値が対応する異常判別位置は、前記した前方側の制限位置よりも前方であってその制限位置の近傍の位置として定められている。したがって、異常判別値は、前記したように位置検出器１２からその異常判別位置までの距離として設定される。
【００５４】
また、記憶器２１に記憶される監視期間について、その監視期間は、パイルテンションロール５の前方への一時的な変位をパイル高さ異常の発生として検出しないために設定されるものである。
【００５５】
より詳しくは、送出し装置１においては、前述のようなパイル経糸ＰＴの張力制御が行われており、パイルテンションロール５（テンションレバー６）の前後位置が前記許容範囲（制限位置）を越えた場合、送出速度が調整されてテンションレバー６の前後位置が制限位置の範囲内に戻される。したがって、その送出し装置１においては、制限位置を越えない範囲では、テンションレバー６が制限位置の近傍に存在する状態がある。なお、パイル織機では、パイルテンションロール５は、パイル形成時において一旦前方へ変位して再び元の位置に戻るといった動作を行う。そして、前記のようにテンションレバー６が制限位置の近傍に存在する状態でパイルテンションロール５がそのように動作すると、その慣性により、テンションレバー６の前後位置が一時的に制限位置を越えるように変位する場合がある。しかも、前記のように本実施例では異常判別位置が前方側の制限位置の近傍の位置として設定されているため、その変位により、前記検出値が異常判別値以下となる場合がある。
【００５６】
しかし、それはパイル高さが所望の高さよりも高くなる状態（以下、「高パイル状態」とも言う。）が生じたことに伴うパイルテンションロール５の変位ではないため、その一時的な変位が前記高パイル状態が連続的に発生したことに起因するパイルテンションロール５の変位として検出されないようにする必要がある。
【００５７】
さらに、テンションレバー６の前後位置が前方側の制限位置を越えるパイルテンションロール５の変位は、前述のようにパイル織機において前記高パイル状態が生じると共に、前記高パイル状態が連続して発生することで起きるものである。但し、前記高パイル状態の発生が一時的な（短期間の）ものである場合には、パイル高さが所望の高さに戻ると、前記高パイル状態に起因するパイルテンションロール５の変位が無くなる。その上で、送出し装置１においては前記のようなパイル経糸ＰＴの張力制御が行われているため、その張力制御により、テンションレバー６の前後位置が制限位置の範囲内に戻ることとなる。
【００５８】
このように、前記高パイル状態の連続的な発生が一時的なものであり、短期間で収まった場合には、テンションレバー６の前後位置が一時的に異常判別位置に達した又は異常判別位置を越えたとしても、再び異常判別位置に達しない位置に戻る。すなわち、テンションレバー６の前記検出値が、一時的に異常判別値以下となったとしても、再び異常判別値よりも大きくなることとなる。
【００５９】
なお、パイル織物について、その種類によっては、その柄によってパイル高さが所望の高さよりも高いことが目立ち難い等の理由により、前記高パイル状態が連続的に発生した状態となっていても、その発生範囲の大きさによっては品質的に許容される場合がある。すなわち、パイル織物の種類によっては、その製織における連続的な前記高パイル状態が発生している状態は、必ず異常と見なされる訳では無く、その発生範囲の大きさによっては異常と見なされない場合がある。
【００６０】
そこで、本実施例では、前記したパイル形成時の動作の慣性によりテンションレバー６の前記検出値が異常判別値以下となるようなパイルテンションロール５の変位だけでなく、そのパイル織物において許容される範囲内での連続的な前記高パイル状態の発生を異常として検出しないように、前記のような監視期間が設定されている。そして、本実施例では、前記のようにテンションレバー６の前記検出値が異常判別値以下となったとしても、その前記検出値が異常判別値以下となっている期間が監視期間に達しない限りは、異常として検出しないようにされている。すなわち、本実施例では、検出されるパイル高さ異常を、前記検出値の異常判別値以下となっている期間が監視期間に達したことで検出することとしている。
【００６１】
このように、本実施例では、その監視期間は、そのときに製織されるパイル織物において品質的に許容される前記高パイル状態の発生の程度（発生範囲の大きさ）を踏まえた期間として設定される。なお、前記のように本実施例では、監視期間は織機のサイクル数で設定される。その上で、パイル織機においては、複数の織機のサイクルで１つのパイルが形成されることから、その監視期間は、１つのパイル形成に要する織機のサイクル数の整数倍（パイル形成サイクル×パイル数）のサイクル数が設定値として設定される。
【００６２】
比較器２２は、入力側において記憶器２１及びパイル経糸送出制御装置１３に接続されると共に、出力側において異常判別部２３に接続されている。なお、パイル経糸送出制御装置１３は、前記したように、位置検出器１２で検出されたテンションレバー６の前後位置の平均値を織機の１サイクル毎に算出している。その上で、パイル経糸送出制御装置１３は、その算出した平均値を算出毎に比較器２２に対し出力するように構成されている。このように本実施例では、前記のように算出された平均値が、各織機サイクルにおけるテンションレバー６の前後位置の前記検出値として用いられる。
【００６３】
そして、比較器２２は、パイル経糸送出制御装置１３から出力された前記検出値が入力されると、記憶器２１に記憶された異常判別値と前記検出値とを比較すると共に異常判別値に対する前記検出値の偏差を求めるように構成されている。また、比較器２２は、その求めた偏差の大きさに応じた偏差信号を異常判別部２３へ出力するように構成されている。すなわち、比較器２２は、織機の１サイクル毎に前記偏差信号を異常判別部２３へ出力するように構成されている。但し、前記偏差について、本実施例では、前記偏差は０も含むものとする。そして、前記偏差が０の場合には、比較器２２は、異常判別部２３に対して前記偏差＝０に応じた前記偏差信号を出力する。
【００６４】
異常判別部２３は、入力側において記憶器２１及び比較器２２に接続されると共に、出力側において主制御装置１４に接続されている。また、異常判別部２３は、前記のように織機のサイクル数で求められる異常期間を計数するカウンタとしての計数器２４を備えている。そして、異常判別部２３は、比較器２２から出力された前記偏差信号に基づき、前記検出値が異常判別値以下であるか否かを判別すると共に、前記検出値が異常判別値以下であると判別した場合に計数器２４のカウント値（異常期間）をカウントアップするように構成されている。また、異常判別部２３は、前記検出値が異常判別値を超えていると判別した場合には、そのカウント値をリセットするように構成されている。
【００６５】
したがって、その構成によれば、前記検出値が最初に異常判別値以下となった時点（前記偏差が０以下となった時点）で異常判別部２３における計数器２４でのサイクル数のカウントが開始され、前記検出値が異常判別値以下となっている間（前記偏差が０以下となっている間）は計数器２４におけるカウント値がカウントアップされ続ける。また、計数器２４でのサイクル数のカウントが開始された後であっても、前記検出値が異常判別値を超えた場合（前記偏差が０を超えた場合）には、その計数器２４におけるカウント値はリセットされ、その後再び前記検出値が最初に異常判別値以下となるまでは、そのカウント値は０に維持される。
【００６６】
さらに、異常判別部２３は、前記のカウント値が更新（カウントアップ）される毎に、その更新されたカウント値（異常期間）と監視期間の設定値とを比較することによって異常期間が監視期間に達したかどうかを監視する到達監視器２５を備えている。その上で、異常判別部２３は、その到達監視器２５がその監視の結果として、異常期間に相当するカウント値が監視期間の設定値以上となったことを検出した（＝異常期間が監視期間に達したパイル高さ異常が発生したと検出された）とき、主制御装置１４に対し異常信号として織機停止信号を出力するように構成されている。
【００６７】
以上のような本実施例におけるパイル高さ異常検出装置１０について、その作用は以下の通りである。
【００６８】
製織中、何らかの原因で前記高パイル状態が発生すると、パイル形成時における若干のパイル抜けが生じない分、パイルの形成毎に通常よりも多くのパイル経糸が消費される。そして、前記高パイル状態が連続的に発生すると、パイル経糸ＰＴの張力が急激に上昇し、それに伴って、パイルテンションロール５が前方へ向けて変位する。このとき、前記高パイル状態の連続的な発生が収まらないと、パイルテンションロール５の前方へ向けた変位が継続的に発生する。
【００６９】
その変位に伴ってテンションレバー６の前後位置が前記した前方側の制限位置を越えると、テンションレバー６の前後位置を前記許容範囲内に戻すべく、パイル経糸送出制御装置１３によるパイル経糸ＰＴの送出速度の調整が行われる。但し、そのパイル経糸ＰＴの送出速度の調整は、パイル経糸ビーム２の巻径の変化（減少）に伴う不可避的なパイル経糸ＰＴの張力変化を想定したものであって、連続した前記高パイル状態の発生による異常なパイル経糸ＰＴの張力変化を想定したものではない。すなわち、そのパイル経糸送出制御装置１３による送出速度の調整では、前記のような連続した前記高パイル状態に起因するパイルテンションロール５の変位には対応できない。そのため、そのように送出速度が調整されてもパイルテンションロール５（テンションレバー６）の前後位置を戻すといった状態にはならず、前記高パイル状態の発生が続いている状態ではパイルテンションロール５の前方へ向けた変位が継続される。
【００７０】
なお、製織中においては、パイル高さ異常検出装置１０における比較器２２に対するパイル経糸送出制御装置１３による前記検出値の出力が織機の１サイクル毎に行われている。そして、比較器２２は、その前記検出値の入力毎に、その前記検出値と異常判別値とを比較して前記偏差を求めると共に、その前記偏差の大きさを示す前記偏差信号を異常判別部２３に対し出力している。
【００７１】
前記のようにパイルテンションロール５の変位が継続された結果として、テンションレバー６の前後位置が異常判別値に対応する前後位置に達した状態、もしくは越えた状態となると、前記検出値が異常判別値以下となる。そのため、比較器２２から出力される前記偏差信号は前記偏差≦０を示す信号となる。
【００７２】
そして、そのように前記偏差≦０を示す前記偏差信号が異常判別部２３に入力されると、異常判別部２３は、計数器２４のカウント値をカウントアップ（＋１）する（最初はカウント値が０であるため１にカウントアップする）。すなわち、異常判別部２３は、前記偏差≦０を示す前記偏差信号が連続的に入力されている間は、計数器２４でその入力回数をカウントする。なお、前記偏差信号は織機の１サイクル毎に出力されるため、そのカウント値（合計値）が織機のサイクル数単位で求められる異常期間となる。
【００７３】
その後、前記高パイル状態の連続的な発生が収まらず、前記高パイル状態に起因するパイルテンションロール５の変位が継続すると、前記検出値が異常判別値以下となっている状態が続く。そのため、織機の１サイクル毎に比較器２２から出力される前記偏差信号は、その前記検出値が異常判別値以下となっている間に亘り、前記偏差≦０を示す信号となる。それに伴い、異常判別部２３においては、その前記偏差信号の入力毎に計数器２４のカウント値がカウントアップされる。
【００７４】
但し、前述のように、前記高パイル状態の発生原因が一時的なものであったために前記高パイル状態が短期間で収まる場合がある。そして、その場合には、前記高パイル状態に起因するパイルテンションロール５の前方へ向けた変位が停止する。なお、その変位が停止した時点では、前記検出値が前記の前方側閾値を越えた状態となっている。そのため、パイル経糸送出制御装置１３によりパイル経糸ＰＴの送出速度が調整されることによって、パイルテンションロール５が後方へ向けて変位する。その結果として、前記検出値が異常判別値よりも大きい状態となる。そして、それに伴い、比較器２２から出力される前記偏差信号は前記偏差＞０を示す信号となるため、異常判別部２３では、計数器２４のカウント値（異常期間）がリセットされる（カウント値が０に戻される）。
【００７５】
また、異常判別部２３においては、計数器２４のカウント値が更新（カウントアップ）される毎に、その更新されたカウント値（異常期間）が到達監視器２５に出力される。なお、到達監視器２５においては、そのカウント値と監視期間の設定値との比較が行われる。そして、その比較の結果として、そのカウント値が監視期間の設定値以上となった（すなわち、異常期間が監視期間に達した）と判断された場合には、到達監視器２５が主制御装置１４に対し異常信号を出力する。
【００７６】
なお、本実施例においては、主制御装置１４は、その異常信号が入力されるのに伴い、織機を停止させるための制御を実行する。それにより、そのパイル織機においては、製織が停止され、前記のように前記高パイル状態が連続的に発生する状態のままで製織が継続されることが防止される。したがって、以上で説明したようなパイル高さ異常検出装置１０によれば、パイル高さが所望の高さよりも高く形成された状態で製織される部分（範囲）を最小限に抑えることができるため、製織されたパイル織物の品質が著しく損なわれることを防ぐことができる。
【００７７】
また、主制御装置１４は、異常信号が入力されるのに伴い、織機に設けられた警報ランプを点灯させると共に、前記の入力設定装置１５に対し織機の停止原因（前記高パイル状態の連続的な発生）を示す信号を出力してその表示画面にその停止原因を示すメッセージを表示させる。それにより、作業者に対し前記高パイル状態の連続発生により織機を停止させたことを知らせることができる。
【００７８】
さらに、本実施例のパイル高さ異常検出装置１０においては、前記高パイル状態が連続的に発生した場合であっても、その発生範囲が許容される範囲内であれば前記の異常信号の出力が行われないように監視期間を設定しており、それによって織機が必要以上に停止することが防止される。
【００７９】
詳しくは、前述のように、前記高パイル状態の連続的な発生が起きていなくても、パイルテンションロール５が一時的に前方側の制限位置を越えて変位する場合がある。また、前記高パイル状態が連続的に発生したとしても、その発生範囲の大きさによっては品質的に許容される場合がある。これらを考慮すると、異常判別位置を前方側の制限位置よりも離間した位置に設定し、その異常判別位置に対応する異常判別値と前記検出値との比較のみで異常信号を発生させるか否かの判別が行われるようにすることが考えられる。しかし、前記高パイル状態におけるパイル高さは一定とは限らないため、製織されたパイル織物上での発生範囲とパイルテンションロール５の変位量（前後位置）とを厳密に関連付けて捉えるのは難しい。そのため、そのように異常判別位置のみで判別を行う場合には、前記高パイル状態が連続的に発生している状態であっても、各パイルの形成時に僅かではあるがパイル抜けが生じることを想定して異常判別位置を設定する必要があり、その場合には、前記発生範囲が許容される範囲内であっても異常信号が出力される場合がある。
【００８０】
それに対し、本実施例のパイル高さ異常検出装置１０によれば、異常判別位置を前方側の制限位置の近傍の位置に設定した上で、その許容される前記発生範囲に対応した監視期間を設定している。それにより、前記のような一時的なパイルテンションロール５の変位に伴って異常信号が出力されることを防止しつつも、前記発生範囲が許容される範囲内であるにもかかわらず異常信号が出力されるといった状態が生じるのを無くすことができる。その結果として、織機が必要以上に停止するのを防ぐことができる。
【００８１】
さらに、本実施例では、その監視期間が織機のサイクル数によって設定されている。なお、前記発生範囲はその間に形成されたパイルの数に対応しており、１つのパイルを形成するための織機のサイクル数（パイル形成サイクル）は予め把握されている。したがって、そのように監視期間を織機のサイクル数によって設定するものとすれば、その監視期間の設定が容易に行えることとなる。
【００８２】
なお、本発明については、以上で説明した実施例（前記実施例）に限定されるものではなく、以下のような変形した実施形態でも実施が可能である。
【００８３】
（１）前記実施例では、前記異常検出が、パイルテンションロール５と共に揺動変位するテンションレバー６（前記揺動部材）の前後位置に基づいて行われている。しかし、本発明においては、前記異常検出は、パイルテンションロール５の前後位置に基づいて行うことも可能である。但し、その場合においては、異常判別位置は、パイルテンションロール５の前後位置に応じた位置として設定される。
【００８４】
（２）前記実施例では、前記パイル高さ異常の検出（以下、「異常検出」とも言う。）は、テンションレバー６（前記揺動部材）の前後位置が異常判別位置を越えている期間が予め設定された監視期間に達したことに基づいて行われている。しかし、本発明においては、そのような監視期間を設定せず、前記揺動部材又はパイルテンションロール（以下、まとめて「被検出部材」と言う。）の前後位置が異常判別位置に達した時点（又は越えたことが判別された時点）で前記異常検出が行われるようにしても良い。なお、その場合には、前述したパイルテンションロール５の一時的な変位を考慮し、異常判別位置を前方側の制限位置から離間した位置に設定することが好ましい。
【００８５】
（３）前述のように、前記被検出部材が異常判別位置へ達したことを判断するためには、その被検出部材の前後位置を把握するための検出手段が必要となる。その上で、前記実施例では、パイル織機の送出し装置に元から備えられているパイル経糸の張力制御のための位置検出装置（距離検出装置）がその検出手段として兼用されている。しかし、本発明は、そのような構成に限らず、前記検出手段が前記の位置検出装置とは別の専用の装置である（異常検出装置が専用の前記検出手段を備える）ように構成されていても良い。
【００８６】
なお、前記実施例では、前記被検出部材の前後位置の検出値について、織機の１サイクル毎に算出された前記被検出部材（テンションレバー６）の前後位置の平均値がその検出値として用いられている。しかし、その検出値については、平均値とせず、織機主軸の所定の回転角度で検出された前記被検出部材の前後位置の検出値をそのまま用いるようにしても良い。さらに、前記被検出部材の前後位置の検出値は、織機の１サイクル毎に求められるものに限らず、織機の複数サイクル毎に求められるものとしても良い。
【００８７】
（４）前記実施例では、前記検出手段として前述のような（送出し装置１の一部をも兼ねる）前記距離検出装置が用いられている。しかし、本発明においては、前記検出手段は、送出し装置１と兼用される場合及び異常検出装置専用として設けられるいずれの場合であっても、そのような装置に限らず、検出構成が異なる他の装置であっても良い。例えば、前記検出手段は、前記被検出部材の揺動変位に伴って変化する前記被検出部材の傾き（揺動角度）を検出する装置であっても良い。具体的には、前記検出手段は、ポテンショメータのような角度センサであっても良い。そして、その場合は、異常判別位置は、前記揺動角度として設定される。
【００８８】
また、前記検出手段は、前記した前記距離検出装置や前記角度センサのように連続的に前記被検出部材の位置（状態）を検出可能な装置に限らず、前記被検出部材が特定の位置に達したことを検出する装置であっても良い。
【００８９】
具体的には、前記検出手段を近接スイッチとすると共に、前記被検出部材を近接スイッチの検出対象となる近接体が取り付けられた構成とする。その上で、異常検出装置において、予め定められた異常検出位置に応じた位置に近接スイッチが設けられるものとする。その構成によれば、前記被検出部材が変位して前記近接体が異常判別位置にある近接スイッチの位置に達すると、前記近接体（前記被検出部材）が近接スイッチにより検出され、その検出信号が出力される。その上で、その検出信号を異常信号とするか、もしくは前記実施例と同様に前記被検出部材が異常検出位置に達した時点から予め設定された監視期間後に異常信号が発生するようにしても良い。
【００９０】
なお、その装置の場合には、近接スイッチが前記近接体を検出している間しか近接スイッチから前記検出信号が出力されない。そこで、その装置において前記のように監視期間後に異常信号が発生するようにする場合には、前記被検出部材が異常判別位置を越えてさらに前方へ変位した状態でも近接スイッチが前記近接体を検出し続けるように、前記近接体を前方へ向けて延在するかたちとすれば良い。その上で、前記近接体が近接スイッチにより検出された時点（前記検出信号の出力が開始された時点）で前記実施例と同様に異常期間のカウントを開始し、前記検出信号の出力されている状態が監視期間に亘って継続した場合に異常信号が出力されるようにすれば良い。
【００９１】
（５）前記実施例では、異常判別位置が前方側の制限位置よりも前方の位置に設定されている。しかし、本発明では、異常判別位置は、そのような位置に限らず、前方側の制限位置と同じ位置に設定されるようにしても良い。すなわち、前記実施例における前方側閾値が異常判別値を兼ねるようにしても良い。但し、前述のように前方側の制限位置は張力制御が行われる位置であり、連続的な前記高パイル状態が発生していない正常な製織状態でも前記被検出部材が達する位置である。したがって、そのように前方側の制限位置を異常判別位置とする場合には、連続的な前記高パイル状態が発生していないにもかかわらず前記異常検出が行われることを防ぐために。前記実施例と同様に監視期間を設定し、前記被検出部材が異常判別位置に達してからその監視期間の経過後に異常信号が発生するようにすることが必要である。
【００９２】
（６）前記実施例は、異常信号が織機停止信号として用いられる例となっており、そのパイル織機は、その異常信号の発生に伴って停止される停止動作が実行されると共に、警報ランプを点灯させる警報動作及び入力設定装置の表示画面にメッセージを表示させる表示動作を行うように構成されている。しかし、本発明が前提とするパイル織機でのその異常信号の発生に伴って行われる動作は、そのような３つの動作の全てに限らず、そのうちの１つ又は２つであっても良い。すなわち、本発明による異常信号の発生に伴い、パイル織機においては、前記した停止動作、警報動作及び表示動作のうちの少なくとも１つが実行されれば良い。
【００９３】
なお、本発明は、以上で説明した例に限定されるものではなく、その趣旨を逸脱しない範囲において適宜変更可能である。
【符号の説明】
【００９４】
１  送出し装置                              ２  パイル経糸ビーム
３  ガイドロール                            ４  テンションシャフト
５  パイルテンションロール                  ６  テンションレバー
７  駆動レバー                              ８  連結ロッド
１０  パイル高さ異常検出装置                １１  パイル経糸張力制御装置
１２  位置検出器                            １３  パイル経糸送出制御装置
１４  主制御装置                            １５  入力設定装置
２１  記憶器                                ２２  比較器
２３  異常判別部                            ２４  計数器
２５  到達監視器
Ｍ１  送出モータ                            Ｍ２  トルクモータ
ＰＴ  パイル経糸
【図１】
2020100916.tif 000003
【図２】
2020100916.tif 000004